(57)【要約】      （修正有）【課題】屋根に消雪パイプ（散水パイプ、放熱パイプ等）を設置するに際して、屋根に固定した金具本体にワンタッチでパイプＡの装着を可能として作業能率の向上を図る。【解決手段】金具本体１と前記金具本体に装着するクリップ体２で構成され、金具本体が屋根装着部（挟持板部１１）及び立板部１３を備え、クリップ体２が、前記立板部を挟持して立板部に装着できる挟持部（前板部２１及び後板部２２）と、クリップ体を立板部に装着した際に、所定のパイプを立板部とで挟圧抱持することができる抱持部２４を備え、金具本体及びクリップ体に、クリップ体を立板部に装着した際に、クリップ体の離脱防止となる係止部（足板部１４、抜止板部２３）を設けてなる。【選択図】図１
2006233492.tif 000002
【特許請求の範囲】
【請求項１】
金具本体と前記金具本体に装着するクリップ体で構成され、金具本体が屋根装着部及び立板部を備え、クリップ体が、前記立板部を挟持して立板部に装着できる挟持部と、クリップ体を立板部に装着した際に、所定のパイプを立板部とで挟圧抱持することができる抱持部を備え、金具本体及びクリップ体に、クリップ体を立板部に装着した際に、クリップ体の離脱防止となる係止部を設けてなることを特徴とする屋根消雪パイプの取付用金具。
【請求項２】
立板部が、金具本体を屋根に装着した際に、峰と平行に配置される請求項１記載の屋根消雪パイプの取付用金具。
【請求項３】
立板部の下方に屋根面と当接対面する足板部を設け、クリップ体に前記足板部の下方に位置することのできる抜止板部を設けて係止部とした請求項１又は２記載の屋根消雪パイプの取付用金具。
【発明の詳細な説明】
【技術分野】
【０００１】
本発明は、散水や放熱によって消雪するパイプ体を屋根に設置するための取付用金具に関するものである。
【背景技術】
【０００２】
屋根の積雪に対して雪下ろしを行う煩雑さを解消するために従前より種々の屋根積雪の消雪手段が提案されている。その一つとして屋根に散水パイプを設置し、散水によって消雪することや、放熱パイプを屋根に設置して熱融雪によって消雪する手段が知られている。
【０００３】
前記の散水パイプや放熱パイプを屋根に固定する手段として、屋根の巻ハゼ部分を挟持する挟持固定部にパイプ挿通部を形成した金具（特許文献１，２）を使用したり、挟持固定部にパイプ挿通部を螺子止めして付設した金具（特許文献３）を使用することが知られている。
【０００４】
又前記の専用金具を使用しない場合には、適宜な屋根用雪止め金具を使用し、パイプを針金などで金具に結束する手段が採用されている。
【０００５】
更に特許文献４には、屋根に支持棒を設置固定し、パイプを抱持する金具を前記支持棒に連結固定する手段が開示されている。
【０００６】
【特許文献１】意匠登録第１１６７３１１号公報。
【特許文献２】意匠登録第１１６７３１２号公報。
【特許文献３】特開２００４−１３２０６０号公報。
【特許文献４】特開２００２−３２２８２８号公報。
【発明の開示】
【発明が解決しようとする課題】
【０００７】
前記したパイプ体の屋根への設置手段は、金具を屋根の所定位置に固定した後、パイプの装着を行うが、長尺のパイプを横列又は縦列した各金具のパイプ挿通部に順次挿通する作業が煩雑であるし、勿論針金によるパイプの結束固定はより煩雑な作業となる。
【０００８】
また特許文献４に記載の支持棒の採用は、瓦屋根のような特別に金具の固定が困難な場合にのみ対象となるもので、特許文献１，２，３記載の金具が採用できる屋根においては、支持棒を別置することは、コストアップの原因となる。
【０００９】
そこで本発明は、屋根に固定した金具本体にワンタッチでパイプの装着を可能とした新規なパイプ取付金具を提案したものである。
【課題を解決するための手段】
【００１０】
本発明に係る屋根消雪パイプの取付用金具は、金具本体と前記金具本体に装着するクリップ体で構成され、金具本体が屋根装着部及び立板部を備え、クリップ体が、前記立板部を挟持して立板部に装着できる挟持部と、クリップ体を立板部に装着した際に、所定のパイプを立板部とで挟圧抱持することができる抱持部を備え、金具本体及びクリップ体に、クリップ体を立板部に装着した際に、クリップ体の離脱防止となる係止部を設けてなることを特徴とするものである。
【００１１】
従って金具本体を屋根の所定位置に固定し、クリップ体に消雪パイプ（散水パイプや放熱パイプ）を抱持させて、クリップ体を立板部に装着すると、消雪パイプは抱持部と立板部で挟圧抱持されて、パイプを金具本体に装着することができる。
【００１２】
また本発明（請求項２）は、前記の取付用金具において、立板部が、金具本体を屋根に装着した際に、峰と平行に配置されるもので、立板部が雪止め作用をなす。
【００１３】
また本発明（請求項３）は、立板部の下方に屋根面と当接対面する足板部を連設し、クリップ体に前記足板部の下方に位置することのできる抜止板部を設けて係止部としたもので、クリップ体装着時に抜止板部を足板部の下方に差し入れることで、クリップ体の立板部からの離脱を防止できる。
【発明の効果】
【００１４】
本発明の構成は上記のとおりであるから、屋根の所定位置に金具本体を装着し、クリップ体に消雪パイプを抱持させて金具本体に装着すると、簡単に屋根上に消雪パイプを設置することができ、パイプ設置の作業能率を格段に向上させるものである。
【発明を実施するための最良の形態】
【００１５】
次に本発明の実施形態について説明する。実施形態に示した取付金具は、屋根の峰から裾方向に巻きハゼ部分が形成されている縦葺き屋根や、継ぎ目を巻きハゼとしている丸馳折版屋根に使用する金具で、金具本体１とクリップ体２とで構成される。
【００１６】
金具本体１は、基本的に従前の縦葺き屋根用の雪止め金具と同様で、二つ折りとした挟持板部１１に挟圧ボルト・ナット１２を装着し、挟持板部１１の前方に立板部１３を設け、更に立板部１３の下方を前方へ折曲して足板部（係止部）１４を設けたものである。
【００１７】
クリップ体２は、所定の弾性を備えた薄金属板で、前後二つ折りとして前板部２１と後板部２２とで立板部１３を上方から挟み込むようにしたもので、後板部２２の下部には、足板部１４の下方に位置することのできる抜止板部（係止部）２３を設け、前板部２１の下方部分は、前方に膨出させて抱持部２４を形成したものである。
【００１８】
尚立板部１３は挟持板部１１の前部を左右に折曲して形成されているため、クリップ体２を左右の立板部１３に装着できるように、後板部２２は左右に分割して形成している。
【００１９】
而して屋根Ｂの所定位置（横列状態）において巻ハゼＣ部分を挟持板部１１で挟圧して金具本体１を固定し、クリップ体２の抱持部２４内に消雪パイプＡを位置させて、金具本体１の立板部１３にクリップ体２を上方から押し込み、抜止板部２３を足板部１４の下方に差し入れてクリップ体２を金具本体１に装着すると、消雪パイプＡは、立板部１３と抱持部２４の間に挟持され、屋根上への設置がなされるものである。
【００２０】
尚前記の立板部１３を相応の大きさに形成すると、雪止め板として機能する効果も有することになり、管径の異なる消雪パイプを対象とする場合には、抱持部２４の形状が装着対象のパイプ断面形状に対応する形状に形成したクリップ体を採用すれば良い。
【００２１】
尚本発明は前記実施形態に限定されるものではなく、係止部においては、足板部１４と抜止板部２３の組み合わせの他に、立板部１４に透孔を設け、前記透孔に係止される突起をクリップ体に設けた等種々の構成が採用できるものである。
【００２２】
また立板部に対してクリップ体を上方からの差込む構造を採用しているが、横方向からの差込構造としても良いし、また立板部を挟持部（屋根装着部）の前方（峰と平行方向）に設けたが、消雪パイプを峰から裾方向に設置する場合には、立板部を挟持部の側方に形成しても良い。更に屋根装着部も、装着対象の屋根構造に対応して任意に定めることができるものである。
【図面の簡単な説明】
【００２３】
【図１】本発明の実施形態の全体斜視図。
【図２】同使用状態を示す側面図。
【符号の説明】
【００２４】
１        金具本体
１１      挟持板部
１２      挟圧ボルト・ナット
１３      立板部
１４      足板部
２        クリップ体
２１      前板部
２２      後板部
２３      抜止板部
２４      抱持部
【図１】
2006233492.tif 000003
【図２】
2006233492.tif 000004